(57)【要約】      （修正有）【課題】電極を必要以上に深く押し込むこと無く容易に電極を押し込むことができる作業性に優れた電気防食用電極の押し込み工具を提供する。【解決手段】コンクリート構造物に形成された溝内に電気防食用電極を押し込むための電気防食用電極の押し込み工具５であって、電気防食用電極を押圧して溝内に押し込む押し込み部６と、コンクリート構造物に当接することにより、前記押し込み部の溝内への進入距離を規制する規制部７とが備えられてなることを特徴とする電気防食用電極の押し込み工具。【選択図】図２
2010138481.tif 000002
【特許請求の範囲】
【請求項１】
コンクリート構造物に形成された溝内に電気防食用電極を押し込むための電気防食用電極の押し込み工具であって、
電気防食用電極を押圧して溝内に押し込む押し込み部と、コンクリート構造物に当接することにより、前記押し込み部の溝内への進入距離を規制する規制部とが備えられてなることを特徴とする電気防食用電極の押し込み工具。
【請求項２】
前記押し込み部として、溝内に進入しうる押し込み用車輪が備えられ、前記規制部として、前記押し込み用車輪と同心状に配された前記押し込み用車輪のよりも径小の円形規制部が備えられてなる請求項１記載の電気防食用電極の押し込み工具。
【請求項３】
前記円形規制部は、直径調整が可能である請求項２記載の電気防食用電極の押し込み工具。
【発明の詳細な説明】
【技術分野】
【０００１】
本発明は、コンクリート構造物に電気防食工事を施す際に用いる電気防食用電極の押し込み工具に関する。
【背景技術】
【０００２】
従来、コンクリート構造物の鉄筋防食方法として、電気防食工法が知られている。該電気防食工法は、コンクリート構造物の表面にチタン等からなる電気防食用の電極を埋設し、該電気防食電極を陽極、鉄筋を陰極として通電することにより、鉄筋の腐食を防止するものである。
通常、斯かる電気防食電極の陽極としては、棒状又は帯状に形成された長尺状の電極が使用され、コンクリート構造物に設けられた溝の内部にこの長尺状の電極を設置し、その溝を左官施工やグラウト注入等で充填することにより、該電極をコンクリート構造物中に埋設している。
【発明の概要】
【発明が解決しようとする課題】
【０００３】
ところで、この種の電気防食工法を実施する場合に於いて、長尺状の電極を溝内に固定配置する方法としては、溝よりも僅かに幅広で且つ弾性変形により幅が収縮する長尺状の電極を用い、押し込み工具にて順次溝内に押し込んでいく方法が好ましいことを本件発明者らは見い出した。
ここで、斯かる方法を実施する押し込み工具としては、電極に当接させて電極を溝内に押し込む車輪を備えたローラを用いることが考えられる。
【０００４】
しかしながら、斯かる押し込み工具に於いては、押し込む深さを力加減で調整しつつ電極を押し込む必要があることから、必要以上に深く溝内に電極を押し込んでしまうという事態が生じうるものであり、例えば、コンクリート構造物の鉄筋と電極との短絡を引き起こす等の問題が予想される。
【０００５】
そこで、本発明は、上記問題点に鑑み、電極を必要以上に深く押し込むこと無く容易に電極を押し込むことができる作業性に優れた電気防食用電極の押し込み工具を提供することを課題とする。
【課題を解決するための手段】
【０００６】
上記課題を解決すべく、本発明は、コンクリート構造物に形成された溝内に電気防食用電極を押し込むための電気防食用電極の押し込み工具であって、電気防食用電極を押圧して溝内に押し込む押し込み部と、コンクリート構造物に当接することにより、前記押し込み部の溝内への進入距離を規制する規制部とが備えられてなることを特徴とする電気防食用電極の押し込み工具を提供する。
【０００７】
斯かる電気防食用電極の押し込み工具に於いては、押し込み部で電気防食用電極を押圧して、溝内に押し込みつつ、規制部にて押し込み部の溝内への進入距離、即ち電気防食用電極の押し込み距離を規制できることから、該電極を必要以上に押し込むこと無く容易に電極を押し込むことができ、作業性に優れている。
【０００８】
本発明に於いては、前記押し込み部として、溝内に進入しうる押し込み用車輪が備えられ、前記規制部として、前記押し込み用車輪と同心状に配された前記押し込み用車輪のよりも径小の円形規制部が備えられてなるものが好ましい。
斯かる構成の電気防食用電極の押し込み工具に於いては、押し込み用車輪で押圧して、該車輪と円形規制部の半径差の分だけ電極の一部を溝内に押し込むことができ、更に、車輪を回転させて溝（即ち、電極の長手方向）に沿って移動させることにより、溝に沿って長尺状の電極を容易に押し込んでいくことができる。
【０００９】
更に、斯かる構成に於いては、前記円形規制部は直径の調整が可能とされてなるものが好ましい。
斯かる構成の電気防食用電極の押し込み工具に於いては、円形規制部の直径を調整することにより、押し込み用車輪と円形規制部との半径差を調整することができ、容易に電極の押し込み距離を調整することができる。
【発明の効果】
【００１０】
以上のように、本発明の電気防食用電極の押し込み工具は、電極を必要以上に深く押し込むこと無く容易に電極を押し込むことができ、作業性に優れている。
【図面の簡単な説明】
【００１１】
【図１】電気防食用電極の一例を示し、（ａ）は斜視図、（ｂ）はその断面図、（ｃ）はその側面図。
【図２】（ａ）は一実施形態の電気防食用電極の押し込み工具を示す正面図、（ｂ）はその側面図、（ｃ）は同実施形態の円形規制部を構成しうる部材を示す側面図。
【図３】（ａ）〜（ｄ）は電気防食用電極をコンクリート構造物に埋設する方法に於ける各工程を示す概略断面図。
【図４】一実施形態の電気防食用電極の押し込み工具の使用状態を示す概略側面図。
【図５】他実施形態の電気防食用電極の押し込み工具を示し、（ａ）は正面図、（ｂ）はその側面図。
【図６】他実施形態の電気防食用電極の押し込み工具を示し、（ａ）は正面図、（ｂ）はその側面図。
【発明を実施するための形態】
【００１２】
以下、本発明にかかる実施形態について説明する。
まず、本実施形態の電気防食用電極の押し込み工具にて押し込まれる電気防食用電極の具体例について説明する。
【００１３】
図１は、電気防食用電極の一例を示す概略図である。図１に示す如く、前記電気防食用電極１は、例えば、網目を有する長尺帯状の金属体から構成され、該金属体が幅方向（短手方向）に湾曲された形状を有している。具体的には、該電極１は、エキスパンドメタル状に加工されたものであって、前記網目を構成する各々の穴は、図１（ｃ）に示す如く、エキスパンドメタル状に加工する際の延伸時に形成された菱形状のものである。
【００１４】
前記電気防食用電極１は、該電極１の長手方向が、エキスパンドメタル状に加工する際の金属体の延伸方向となるように構成されている。エキスパンドメタル状に加工された金属体は、製造時の延伸方向に対しては比較的湾曲されやすく、延伸方向と直交する方向においては比較的湾曲され難いという特性がある。従って、該延伸方向が長手方向となるように構成することにより、長手方向において比較的柔軟性に優れたものとなり、例えば、長尺状の電極１をコイル状に券回して、保存、運搬、設置等における該電気防食用電極１の取り扱い性を良好とすることができる。
また、延伸方向と直交する方向が幅方向となるため、幅方向の長さ（つまり、電極１の幅）を収縮させながら溝３の内側へ挿入した後には、溝３と電極１とが強固に擦れあう状態となり、該電極１をより確実に溝３の内側に固定することが可能となる。
【００１５】
なお、エキスパンドメタル状とは、ＪＩＳ  Ｇ  ３３５１に規定されたエキスパンドメタルの形状、又はこれと同様の形状をいう。
【００１６】
前記電気防食用電極１は、図１（ｂ）に示す如く、幅方向（短手方向）の断面が略Ｕ字状となるように湾曲した状態に構成されており、より具体的には、短手方向中央部に円弧状に湾曲して下方に向かって突出するような湾曲部１１と、該湾曲部１１の両側から直線的に上方へ向かって延びる一対の側壁部１２、１２とから構成されている。
【００１７】
斯かる構成の電気防食用電極１であれば、幅方向両側から圧縮力を加えることによって円弧状の湾曲部１１が更に湾曲し、その結果、一対の側壁部１２、１２が内側へと傾斜し、幅方向の長さが収縮するように変形するため、該電極１の幅よりも狭幅の溝３へ押し込みながら設置することができる。そして、溝３の内部に挿入された電極１は、弾性変形によって幅方向に収縮した状態となるため、その復元力によって溝３の側面を押圧する。具体的には、該電気防食用電極１の側壁部１２、１２が溝３の側面を押圧し、電極１と溝３との間に生じる摩擦力によって該電気防食用電極１が溝３の内部に保持される。
【００１８】
前記電気防食用電極１の材質としては、特に限定されるものではなく、上述のように、湾曲させた状態で弾性変形しうる任意の電極材を使用することができる。具体的には、白金メッキチタン製電極、高珪素鋳鉄製電極、黒鉛製電極、フェライト製電極または金属酸化物製電極等を使用することができる。
【００１９】
また、該電気防食用電極１の寸法は、電気防食工法が実施されるコンクリート構造物２の状況や実施される電気防食工法の条件等によって適宜決定することができる。
【００２０】
電気防食用電極１の具体例は上記の通りであるが、次に、本実施形態に於ける電気防食用電極１の押し込み工具５について、図面を参照しつつ説明する。
【００２１】
図２（ａ）は一実施形態の電気防食用電極の押し込み工具を示す正面図、（ｂ）はその側面図、（ｃ）は同実施形態の円形規制部を構成しうる部材を示す側面図である。
本実施形態の電気防食用電極の押し込み工具５は、コンクリート構造物２に形成された溝３内に電気防食用電極１を押し込むものであり、図２（ａ）、（ｂ）に示すように、電気防食用電極１を押圧して溝３内に押し込む押し込み部６と、コンクリート構造物２に当接することにより、前記押し込み部６の溝３内への進入距離を規制する規制部７とが備えられてなる。
詳しくは、押し込み工具５は、前記押し込み部６として、溝３内に進入しうる押し込み用車輪６が備えられ、前記規制部７として、前記押し込み用車輪６と同心状に配された前記押し込み用車輪６のよりも径小の円形規制部７が備えられて構成されている。更に、押し込み工具５は、前記押し込み用車輪６を枢支する枢支部８と、該枢支部８から棒状に延出した使用者が把持するためのハンドル４とを備えている。
前記枢支部８は、前記押し込み用車輪６の回転軸となる枢支軸９と該枢支軸９を支持するフォーク１０とを有している。
前記円形規制部７は、前記押し込み用車輪６の両側、詳しくは、前記枢支部８の両外側（より詳しくは前記フォーク１０の両外側）に、前記押し込み用車輪６と同心状となるように配置されてなり、例えば、前記押し込み用車輪６と同期して回転するように取り付けられている。
【００２２】
本実施形態の電気防食用電極の押し込み工具５は、図２（ｃ）に示すように、円形規制部７を構成しうる部材として前記枢支部８に取り付けられた円形体７ａと該円形体７ａに外嵌装着されうる環状スリーブ７ｂとを備え、前記円形規制部７は、前記円形体７ａのみによって構成された最径小状態と、円形体７ａと該円形体７ａに外嵌装着された環状スリーブ７ｂとで構成された径大状態とをとりうるように構成されている。
好ましくは、本実施形態の電気防食用電極の押し込み工具５は、円形規制部７毎に、円形規制部７を構成しうる部材として前記円形体７ａと該円形体７ａに順次外嵌装着されうる複数の環状スリーブ７ｂ１、７ｂ２とを備え、前記円形規制部７は、前記円形体７ａのみによって構成された最径小状態と、前記円形体７ａと１以上の環状スリーブ７ｂとで構成された複数の径大状態とをとりうるように構成されてなり、構成部材として用いる環状スリーブ７ｂの数を調整することにより、直径調整が可能とされてなる。
【００２３】
本実施形態の電気防食用電極の押し込み工具５は、上記の如く構成されてなるが、次に斯かる電気防食用電極の押し込み工具５を使用して電気防食用電極１を埋設する方法について説明する。
図３は、電気防食用電極１の埋設方法の一例を示した概略図である。図３に示す如く、まず、コンクリート構造物２に、該電気防食用電極１の幅よりも幅狭の溝３を形成する。具体的には、電気防食用電極１の幅に対して、０．８〜０．９倍程度の幅の溝３を形成することが好ましく、例えば、該電気防食用電極１の幅が１０ｍｍであれば、溝３の幅は８〜９ｍｍとすることが好ましい。
該溝３は、例えばコンクリートカッター等を用いて形成することができ、必要に応じて複数の溝３を形成することができる。
【００２４】
また、該溝３の深さについては、特に限定されるものではなく、上記のような電気防食用電極１をその内部に収容し、モルタルやグラウト材を充填することで該電極１を埋設可能な深さであればよい。特に、モルタルやグラウト材の厚みを十分に確保し、より確実に該電極１を埋設するという観点からは、該電極１の高さよりも５〜１５ｍｍ程度大きな深さとすることが好ましい。
【００２５】
斯かる寸法の溝３を形成した後、図３に（ａ）に示す如く、該溝３に沿って該溝３の上方に電極１を配し、次いで、図３（ｂ）および（ｃ）に示す如く、上記構成の電極１を該溝３の内部に挿入する。
挿入する際に於いては、本実施形態の電気防食用電極の押し込み工具５を用いて、該電極１を幅方向に弾性変形させつつ幅方向の長さを収縮させながら、長手方向に沿って順次溝３に押し込んでいく。
具体的には、例えば、図４に示す如く、ハンドル４を把持しつつＵ字状に湾曲した電極１の内側（即ち、前記側壁部１２と側壁部１２との間）に押し込み部６としての押し込み用車輪６を挿入し、且つ円形規制部７を溝３の両壁たるコンクリート構造物２に当接させる。そして、押し込み工具５を溝３方向（電極１の長手方向）に進行させることにより、連続的に長尺状の電極１を溝３に押し込んで行くことができる。
斯かる押し込み工具５を用いることにより、図５に示す如く、電極１を必要以上に深く押し込むこと無く、溝３内の所定の深さに押し込むことができる。
ここで、押し込み深さの調整は、予め円形規制部７と押し込み用車輪との半径の差Ｌ（図２（ｂ）参照）が所定の値となるように、円形規制部７を構成する環状スリーブ７ｂの数を調整して（即ち、より深く押し込む場合には、環状スリーブ７ｂを用いずに、浅く押し込む場合には、環状スリーブ７ｂを必要数外嵌装着して）円形規制部７の直径を調節することにより行うことができる。
【００２６】
また、前記電気防食用電極１は、幅方向中央部に下方へ突出した円弧状の湾曲部１１を備えているため、溝３の内部へ押し込む際には、該湾曲部１１によって電極１が順次溝３の内部に案内されるため、挿入作業が行いやすいという効果がある。
【００２７】
挿入された電極１は、図３（ｃ）に示す如く、短手方向に弾性変形して収縮した状態で溝３の内部に収容され、即ち、側壁部１２、１２が溝３の両側から挟持された状態となる。
【００２８】
次いで、図３（ｄ）に示す如く、溝３を埋めるべく、溝３の内部にモルタルやグラウト材を充填することにより、電気防食用電極１を埋設することができる。
尚、上記に於いては、電極１を埋設する方法として、電極１を押し込んだ後にのみモルタルやグラウト材を充填する方法を例示したが、例えば、電極１を押し込む前に、モルタルやグラウト材の一部（例えば、２〜５割程度）を予め充填し、次いで、電極１を押し込んだ後に残りのモルタルやグラウト材を充填することにより電極１を埋設してもよい。
【００２９】
本実施形態の電気防食用電極の押し込み工具５は、上記の如く構成され、上記の如く使用されるものであったが、本発明の電気防食用電極の押し込み工具５は、上記構成に限定されず適宜設計変更可能である。
【００３０】
例えば、図５に示すように、押し込み部６として、溝３内に進入しうる押し込み用車輪６を備え、更に、該押し込み用車輪６を枢支する枢支部８を備え、該枢支部８は、押し込み用車輪６の回転軸となる枢支軸９と該枢支軸９を支持する１対のフォーク１０とを備え、規制部７として、各フォーク１０の枢支軸側先端部が溝３の両壁部たるコンクリート構造物２に当接しうるように形成されてなり、更に、該規制部７たる各フォーク１０の枢支軸側先端部が、コンクリート構造物２に当接しつつ摺動しうるように曲面状に形成されなる構成であってもよい。
斯かる構成に於いては、規制部７たる各フォーク１０の枢支軸側先端部が曲面状に形成されてなるので、該規制部７をコンクリート構造物２に当接させながら容易に摺動させることができ、その結果、容易に長手方向に沿って連続的に電極１を押し込んでいくことができる。
【００３１】
また、図６に示すように、押し込み部６として、溝３内に進入しうる押し込み用車輪６を備え、更に、該押し込み用車輪６よりも径小で軸方向に長い円柱状体が押し込み用車輪６に同軸状に嵌入されることにより、規制部７として、押し込み用車輪６の両側に円形規制部７が形成されてなる場合であってもよい。
更に、斯かる構成においては、円形規制部７と押し込み用車輪６とが同期して一体的に回転するように構成されてなるものであってもよい。
【符号の説明】
【００３２】
１・・・電気防食用電極、  ２・・・コンクリート構造物、  ３・・・溝、  ５・・・電気防食用電極の押し込み工具、  ６・・・押し込み用車輪（押し込み部）、  ７・・・円形規制部（規制部）
【図１】
2010138481.tif 000003
【図２】
2010138481.tif 000004
【図３】
2010138481.tif 000005
【図４】
2010138481.tif 000006
【図５】
2010138481.tif 000007
【図６】
2010138481.tif 000008